(57)【要約】【課題】複数のユーザの各々が他人が購入した商品を確認することが可能な電子商取引システムを提供する。【解決手段】電子商取引システムは、複数のユーザが共用できる仮想的なショッピングカートを提供し、ショッピングカートに入れられた複数の商品Ａ，Ｂを決済するための入力を、予め指定された決済権者が操作するスマートフォン１０１から受け付ける。【選択図】図２
2016133993.tif 000002
【特許請求の範囲】
【請求項１】
複数のユーザが共用できる仮想的なショッピングカートを提供し、前記ショッピングカートに入れられた複数の商品を決済するための入力を、予め指定された決済権者が操作する電子機器から受け付ける、電子商取引システム。
【請求項２】
前記電子商取引システムは、サーバ装置を備え、
前記サーバ装置においては、前記複数のユーザのうち前記ショッピングカートに前記商品を入れたユーザの識別情報と、前記商品の識別情報とが対応付けて記憶されており、
前記サーバ装置は、前記電子機器に対して、前記ショッピングカートに入れられた商品と当該商品を当該ショッピングカートに入れたユーザの識別情報とを通知する、請求項１に記載の電子商取引システム。
【請求項３】
前記電子商取引システムでは、前記ショッピングカートに商品を入れることを許可する期限が設定されており、
前記サーバ装置は、前記複数のユーザの各々によって前記ショッピングカートを用いたショッピングに使用される、前記電子機器または他の電子機器に対して、前記期限を通知する、請求項２に記載の電子商取引システム。
【請求項４】
前記決済権者は複数存在し、
前記サーバ装置は、
前記複数のユーザの各々によって前記ショッピングカートを用いたショッピングに使用される、前記電子機器または他の電子機器から、複数の前記決済権者の中から少なくとも一人の決済権者を選択するための情報を受け付け、
前記選択されていない決済権者からの前記入力を受け付けない、請求項２または３に記載の電子商取引システム。
【請求項５】
前記商品種別毎に前記決済権者が予め決まっている、請求項４に記載の電子商取引システム。
【請求項６】
前記決済の依頼を通知するタイミングまたは方法が、前記決済権者毎に異なるように指定されている、請求項４または５に記載の電子商取引システム。
【請求項７】
前記サーバ装置は、前記ショッピングカートに同じ種別の商品が重複して入っていた場合、予め定められた通知を、前記決済権者が操作する前記電子機器に通知する、請求項２から６のいずれか１項に記載の電子商取引システム。
【請求項８】
前記サーバ装置は、予め定められた期間における前記ショッピングカートを用いた商品の決済額を、前記ユーザ毎に区分して、前記決済前に前記決済権者が操作する前記電子機器に通知する、請求項２から７のいずれか１項に記載の電子商取引システム。
【請求項９】
前記サーバ装置は、前記決済が行われたことに基づき、前記複数のユーザの各々によって前記ショッピングカートを用いたショッピングに使用される、前記電子機器または前記他の電子機器に対して、前記決済が行われたことを通知する、請求項２から８のいずれか１項に記載の電子商取引システム。
【請求項１０】
電子商取引システムを実現するためのサーバ装置であって、
複数のユーザが共用できる仮想的なショッピングカートを提供し、前記ショッピングカートに入れられた複数の商品を決済するための入力を、予め指定された決済権者が操作する電子機器から受け付ける、サーバ装置。
【請求項１１】
電子商取引システムを実現するためのサーバ装置と通信する端末装置であって、
複数のユーザが共用できる仮想的なショッピングカートの提供を前記サーバ装置から受け、予め指定された決済権者による、前記ショッピングカートに入れられた複数の商品を決済するための入力を受け付ける、端末装置。
【請求項１２】
電子商取引システムにおける情報処理方法であって、
複数のユーザが共用できる仮想的なショッピングカートを提供するステップと、
前記ショッピングカートに入れられた複数の商品を決済するための入力を、予め指定された決済権者が操作する電子機器から受け付けるステップとを備える、情報処理方法。
【請求項１３】
電子商取引システムを実現するためのサーバ装置における情報処理方法であって、
複数のユーザが共用できる仮想的なショッピングカートを提供するステップと、
前記ショッピングカートに入れられた複数の商品を決済するための入力を、予め指定された決済権者が操作する電子機器から受け付けるステップとを備える、情報処理方法。
【請求項１４】
電子商取引システムを実現するためのサーバ装置と通信する端末装置における情報処理方法であって、
複数のユーザが共用できる仮想的なショッピングカートの提供を前記サーバ装置から受けるステップと、
予め指定された決済権者による、前記ショッピングカートに入れられた複数の商品を決済するための入力を受け付けるステップとを備える、情報処理方法。
【請求項１５】
電子商取引システムを実現するためのサーバ装置を制御するためのプログラムであって、
複数のユーザが共用できる仮想的なショッピングカートを提供するステップと、
前記ショッピングカートに入れられた複数の商品を決済するための入力を、予め指定された決済権者が操作する電子機器から受け付けるステップとを、前記サーバ装置のプロセッサに実行させる、プログラム。
【請求項１６】
電子商取引システムを実現するためのサーバ装置と通信する端末装置を制御するためのプログラムであって、
複数のユーザが共用できる仮想的なショッピングカートの提供を前記サーバ装置から受けるステップと、
予め指定された決済権者による、前記ショッピングカートに入れられた複数の商品を決済するための入力を受け付けるステップとを、前記端末装置のプロセッサに実行させる、プログラム。
【発明の詳細な説明】
【技術分野】
【０００１】
本発明は、仮想的なショッピングカードを用いた電子商取引システム、サーバ装置、端末装置、情報処理方法、およびプログラムに関する。
【背景技術】
【０００２】
従来、特許文献１〜７に示すように、電子商取引システム（電子ショッピングシステム）が知られている。特に、特許文献１には、電子商取引システムにおいて、家族のようなグループ単位での認証を可能とする認証方法が開示されている。
【０００３】
具体的には、特許文献１の認証方法では、グループ内のある構成要素が決済権限を持たない場合には、当該構成要素が属するグループの決済権限を持つ構成要素に対して決済情報を通知するとともに、決済権限を持つ構成要素からの決済結果が返却されるまでの間、当該決済が保留される。
【０００４】
また、電子商取引システムにおいてショッピングカート（かご）を用いる場合、ショッピングカートに商品を入れたユーザは、決済前であれば、当該ショッピングカードに入れた商品を確認等することができる。
【先行技術文献】
【特許文献】
【０００５】
【特許文献１】特開２００７−１８８３８１号公報
【特許文献２】特開平１０−１０５５９９号公報
【特許文献３】特開２００１−６７４１９号公報
【特許文献４】特開２００１−２２８２５号公報
【特許文献５】国際公開第０２／０５６２１７号
【特許文献６】特開２００５−４３９７５号公報
【特許文献７】特開２００２−１５７４４０号公報
【発明の概要】
【発明が解決しようとする課題】
【０００６】
特許文献１では、あるグループにおいて、決済権限を有しない者が購入を希望している商品を決済権者が決済を行なうことができる。このような場合において、特許文献１の技術では、決済権者以外の者は、同じグループの他人が何を購入しようとしているのか分からない。
【０００７】
本願発明は、上記の問題点に鑑みなされたものであって、その目的は、複数のユーザの各々が他人が購入した商品を確認することが可能な電子商取引システムを提供することにある。さらに、その目的は、当該電子商取引システムを構成するサーバ装置および端末装置と、これらのシステムおよび装置における情報処理方法、およびこれらの装置を制御するためのプログラムを提供することにある。
【課題を解決するための手段】
【０００８】
本発明のある局面に従うと、電子商取引システムは、複数のユーザが共用できる仮想的なショッピングカートを提供し、ショッピングカートに入れられた複数の商品を決済するための入力を、予め指定された決済権者が操作する電子機器から受け付ける。
【０００９】
好ましくは、電子商取引システムは、サーバ装置を備える。サーバ装置においては、複数のユーザのうちショッピングカートに商品を入れたユーザの識別情報と、商品の識別情報とが対応付けて記憶されている。サーバ装置は、電子機器に対して、ショッピングカートに入れられた商品と当該商品を当該ショッピングカートに入れたユーザの識別情報とを通知する。
【００１０】
好ましくは、電子商取引システムでは、ショッピングカートに商品を入れることを許可する期限が設定されている。サーバ装置は、複数のユーザの各々によってショッピングカートを用いたショッピングに使用される、電子機器または他の電子機器に対して、期限を通知する。
【００１１】
好ましくは、決済権者は複数存在する。サーバ装置は、複数のユーザの各々によってショッピングカートを用いたショッピングに使用される、電子機器または他の電子機器から、複数の決済権者の中から少なくとも一人の決済権者を選択するための情報を受け付け、選択されていない決済権者からの入力を受け付けない。
【００１２】
好ましくは、電子商取引システムでは、商品種別毎に決済権者が予め決まっている。
好ましくは、電子商取引システムでは、決済の依頼を通知するタイミングまたは方法が、決済権者毎に異なるように指定されている。
【００１３】
好ましくは、サーバ装置は、ショッピングカートに同じ種別の商品が重複して入っていた場合、予め定められた通知を、決済権者が操作する電子機器に通知する。
【００１４】
好ましくは、サーバ装置は、予め定められた期間におけるショッピングカートを用いた商品の決済額を、ユーザ毎に区分して、決済前に決済権者が操作する電子機器に通知する。
【００１５】
好ましくは、サーバ装置は、決済が行われたことに基づき、複数のユーザの各々によってショッピングカートを用いたショッピングに使用される、電子機器または他の電子機器に対して、決済が行われたことを通知する。
【００１６】
本発明の他の局面に従うと、サーバ装置は、電子商取引システムを実現する。サーバ装置は、複数のユーザが共用できる仮想的なショッピングカートを提供し、ショッピングカートに入れられた複数の商品を決済するための入力を、予め指定された決済権者が操作する電子機器から受け付ける。
【００１７】
本発明のさらに他の局面に従うと、端末装置は、電子商取引システムを実現するためのサーバ装置と通信する。端末装置は、複数のユーザが共用できる仮想的なショッピングカートの提供をサーバ装置から受け、予め指定された決済権者による、ショッピングカートに入れられた複数の商品を決済するための入力を受け付ける。
【００１８】
本発明のさらに他の局面に従うと、情報処理方法は、電子商取引システムにおいて実行される。情報処理方法は、複数のユーザが共用できる仮想的なショッピングカートを提供するステップと、ショッピングカートに入れられた複数の商品を決済するための入力を、予め指定された決済権者が操作する電子機器から受け付けるステップとを備える。
【００１９】
本発明のさらに他の局面に従うと、情報処理方法は、電子商取引システムを実現するためのサーバ装置において実行される。情報書処理方法は、複数のユーザが共用できる仮想的なショッピングカートを提供するステップと、ショッピングカートに入れられた複数の商品を決済するための入力を、予め指定された決済権者が操作する電子機器から受け付けるステップとを備える。
【００２０】
本発明のさらに他の局面に従うと、情報処理方法は、電子商取引システムを実現するためのサーバ装置と通信する端末装置において実行される。情報処理方法は、複数のユーザが共用できる仮想的なショッピングカートの提供をサーバ装置から受けるステップと、予め指定された決済権者による、ショッピングカートに入れられた複数の商品を決済するための入力を受け付けるステップとを備える。
【００２１】
本発明のさらに他の局面に従うと、プログラムは、電子商取引システムを実現するためのサーバ装置を制御する。プログラムは、複数のユーザが共用できる仮想的なショッピングカートを提供するステップと、ショッピングカートに入れられた複数の商品を決済するための入力を、予め指定された決済権者が操作する電子機器から受け付けるステップとを、サーバ装置のプロセッサに実行させる。
【００２２】
本発明のさらに他の局面に従うと、プログラムは、電子商取引システムを実現するためのサーバ装置と通信する端末装置を制御する。プログラムは、複数のユーザが共用できる仮想的なショッピングカートの提供をサーバ装置から受けるステップと、予め指定された決済権者による、ショッピングカートに入れられた複数の商品を決済するための入力を受け付けるステップとを、端末装置のプロセッサに実行させる。
【発明の効果】
【００２３】
上記の発明によれば、複数のユーザの各々が他人が購入した商品を確認することが可能となる。
【図面の簡単な説明】
【００２４】
【図１】電子商取引システム１の概略構成を表した図である。
【図２】電子商取引システム１における処理の流れの概要を説明するためのシーケンスチャートである。
【図３】第１の具体例を説明するための模式図である。
【図４】第２の具体例を説明するための模式図である。
【図５】第３の具体例を説明するための模式図である。
【図６】第４の具体例を説明するための模式図である。
【図７】クラウドサーバ２００に格納されている家族情報Ｄ７の概略構成を表した図である。
【図８】クラウドサーバ２００に格納されているカート内情報Ｄ８の概略構成を表した図である。
【図９】電子商取引システム１の機能的構成を説明するための機能ブロック図である。
【図１０】スマートフォン１０１のハードウェア構成の典型例を表した図である。
【図１１】クラウドサーバ２００のハードウェア構成の典型例を表した図である。
【図１２】電子商取引システム１Ａの概略構成を表した図である。
【発明を実施するための形態】
【００２５】
以下、図面を参照しつつ、本発明の各実施の形態に係る電子商取引システムについて説明する。また、以下の説明では、同一の部材には同一の参照符号を付してある。それらの名称および機能も同じである。したがって、それらについての詳細な説明は繰り返さない。
［実施の形態１］
＜Ａ．システム構成＞
図１は、本実施の形態に係る電子商取引システム１の概略構成を表した図である。図１を参照して、電子商取引システム１は、複数のスマートフォン１０１，１０２，１０３と、クラウドサーバ２００と、複数の決済サーバ３０１，３０２，３０３とを備える。
【００２６】
本実施の形態では、スマートフォン１０１は、父親８０１によって使用される。スマートフォン１０２は、母親８０２によって使用される。スマートフォン１０３は、娘８０３によって使用される。スマートフォン１０１〜１０３は、ネットワーク４０１を介して、クラウドサーバ２００と通信可能である。
【００２７】
決済サーバ３０１は、店舗９０１に設置されており、店舗９０１で扱われている商品の電子決済を行なう。決済サーバ３０２は、店舗９０２に設置されており、店舗９０２で扱われている商品の電子決済を行なう。決済サーバ３０３は、店舗９０３に設置されており、店舗９０３で扱われている商品の電子決済を行なう。
【００２８】
クラウドサーバ２００は、ネットワーク４０２を介して、決済サーバ３０１，３０２，３０３と通信可能に構成されている。クラウドサーバ２００は、家族等の予め登録されたグループ毎に１つのショッピングカート（かご）を提供する。
【００２９】
詳細については後述するが、父親８０１、母親８０２、および娘８０３は、それぞれ、スマートフォン１０１〜１０３を用いて、当該家族で共用される仮想的なショッピングカートに商品を入れる。クラウドサーバ２００は、スマートフォン１０１から当該家族の決済権者（たとえば、父親８０１）の決済指示を受け付けると、ショッピングカートに入れられた商品に応じた決済サーバ３０１〜３０３に、当該商品の決済を要求する。つまり、クラウドサーバは、ユーザからの決済を取り次ぐ役割を有する。
【００３０】
なお、本実施の形態においては、移動体端末の一例として上記のようにスマートフォンを例に挙げて説明する。しかしながら、これに限定されるものではなく、たとえばタブレット端末等であってもよい。また、以下では、スマートフォン１０１，１０２，１０３を区別しない場合には、「スマートフォン１００」と表記する。また、決済サーバ３０１，３０２，３０３を区別しない場合には、「決済サーバ３００」と表記する。
【００３１】
＜Ｂ．処理の概要＞
図２は、電子商取引システム１における処理の流れの概要を説明するためのシーケンスチャートである。なお、図２の例では、決済権者が、スマートフォン１０１を使用する父親８０１であるとする。また、図２の例では、スマートフォン１０２を使用する母親８０２が店舗９０１の商品Ａの購入を希望し、スマートフォン１０３を使用する娘８０３が店舗９０２の商品Ｂの購入を希望しているものとする。
【００３２】
図２を参照して、母親８０２がスマートフォン１０２を用いて、家族で共用されるショッピングカート（以下、「共用カート」とも称する）に商品Ａを入れて、父親８０１に決済依頼をすると、シーケンスＳＱ２において、商品Ａの決済依頼がクラウドサーバ２００に送られる。シーケンスＳＱ４において、クラウドサーバ２００は、依頼者の識別情報（依頼者ＩＤ）と、商品Ａの情報（商品名、金額等）とを決済権者である父親８０１のスマートフォン１０１に送る。
【００３３】
娘８０３がスマートフォン１０３を用いて、上記共用カートに商品Ｂを入れて、父親８０１に決済依頼をすると、シーケンスＳＱ６において、商品Ｂの決済依頼がクラウドサーバ２００に送られる。シーケンスＳＱ８において、クラウドサーバ２００は、依頼者の識別情報（依頼者ＩＤ）と、商品Ｂの情報（商品名、金額等）とを決済権者である父親８０１のスマートフォン１０１に送る。シーケンスＳＱ１０において、決済権者である父親８０１は、スマートフォン１０１を用いて、商品Ａ，Ｂの決済指示をクラウドサーバ２００に送る。
【００３４】
シーケンスＳＱ１２において、クラウドサーバ２００は、決済を取り次ぐために、商品Ａの決済要求を、商品Ａを取り扱っている店舗９０１の決済サーバ３０１に送信する。シーケンスＳＱ１４において、クラウドサーバ２００は、決済サーバ３０１での決済が完了したことに基づき、決済サーバ３０１から決済完了通知を受信する。
【００３５】
シーケンスＳＱ１６において、クラウドサーバ２００は、決済を取り次ぐために、商品Ｂの決済要求を、商品Ｂを取り扱っている店舗９０２の決済サーバ３０２に送信する。シーケンスＳＱ１８において、クラウドサーバ２００は、決済サーバ３０２での決済が完了したことに基づき、決済サーバ３０２から決済完了通知を受信する。
【００３６】
シーケンスＳＱ２０において、クラウドサーバ２００は、決済商品Ａと商品Ｂとの決済が完了したことを示す決済完了通知を、決済権者である父親８０１のスマートフォン１０１に送信する。シーケンスＳＱ２２において、クラウドサーバ２００は、決済商品Ａの決済が完了したことを示す決済完了通知を、商品Ａを共用カートに入れた母親８０２のスマートフォン１０２に送信する。シーケンスＳＱ２４において、クラウドサーバ２００は、決済商品Ｂの決済が完了したことを示す決済完了通知を、商品Ｂを共用カートに入れた娘８０３のスマートフォン１０３に送信する。
【００３７】
以上のように、電子商取引システムは、同じグループの複数のユーザ（具体的には、上記家族の父親８０１、母親８０２、娘８０３）が共用できる仮想的なショッピングカートを提供し、当該ショッピングカートに入れられた複数の商品を決済するための入力を、予め指定された決済権者（上記の例では父親８０１）が操作するスマートフォンから受け付ける。このような構成によれば、家族で共用のショッピングカート用いるため、家族の全員の各々が、当該家族における他人が購入した商品を確認することが可能となる。なお、複数のユーザは、電子商取引システム１において予め登録されている。
【００３８】
詳細については後述するが、クラウドサーバ２００においては、上記家族の父親８０１、母親８０２、および娘８０３のうち共用カートに商品を入れた者の識別情報（つまり、上記依頼者ＩＤ）と、商品の識別情報とが対応付けて記憶されている。また、図２の局面の例では、クラウドサーバ２００は、スマートフォン１０１に対して、共用カートに入れられた商品と当該商品を当該共用カートに入れたユーザの識別情報とを通知する（シーケンスＳＱ４，ＳＱ８）。このような構成によれば、決済権者は、誰が何を購入しようとしているかを把握することができる。
【００３９】
＜Ｃ．処理の具体的内容＞
次に、電子商取引システム１における具体的な処理について説明する。以下では、（i）商品を共用カートに入れる局面と、（ii）決済を依頼する局面と、（iii）決済時における局面と、（iv）決済後の局面とにおける各処理について、４つの具体例を挙げて説明する。なお、以下では、決済権者が父親８０１および母親８０２である場合を例に挙げて説明する。
【００４０】
（ｃ１．第１の具体例）
図３は、第１の具体例を説明するための模式図である。第１の具体例は、（i）商品を共用カートに入れる局面と、(ii）決済を依頼する局面と、（iii）決済時における局面とに特徴的な構成を有する。
【００４１】
図３を参照して、たとえば、母親８０２が、スマートフォン１０２のメール機能を用いて、共用カートへの商品の受付期限（たとえば、週末、月末等の締日および当該締日の時刻）を、父親８０１のスマートフォン１０１と娘８０３のスマートフォン１０３に通知する。具体的には、予め定められたメール作成画面において、メールの送信を指示するためのオブジェクト７０１を選択することにより、上記通知がなされる。
【００４２】
その後、娘８０３は、購入したい商品７０３（一例として、スニーカ）がある場合、スマートフォン１０３を用いて商品７０３を共用カートに入れる。スマートフォン１０３は、決済権者を選択させるための画面を表示する。典型的には、スマートフォン１０３は、母親８０２に決済を依頼することを選択させるためのオブジェクト７０５と、父親８０１に決済を依頼することを選択させるためのオブジェクト７０７とを、スマートフォン１０３の画面に表示する。以下では、娘８０３が、商品７０３の決済を母親８０２に依頼し、母親８０２が商品７０３の決済をしたとする。
【００４３】
父親８０１が、娘８０３のために商品７０３と同じ種別（属性）の商品７０９（一例として、スニーカ）を購入してあげようと考え、スマートフォン１０１で決済ボタン用のオブジェクト７１１を押すと（状態（Ａ））、スマートフォン１０１においては、重複購入の可能性を示唆する警告表示７１３がなされる（状態（Ｂ））。その際、スマートフォン１０１は、娘８０３が決済依頼した商品７０３の情報と、決済を行なうためのオブジェクト７１７と、商品７０９の購入をキャンセルするためのオブジェクト７１９とを表示する。
【００４４】
以上のように、電子商取引システム１は、“（i）商品を共用カートに入れる局面”に関し、共用カートに商品を入れる期限を切った上で、同じグループの人のスマートフォン１００に通知する機能を有する。より詳しくは、電子商取引システム１では、共用カートに商品を入れることを許可する期限が設定されている。クラウドサーバ２００は、同じグループ内の複数のユーザ（つまり、父親８０１、母親８０２、娘８０３）の各々が使用するスマートフォン１００に対して、上記期限を通知する。上記の構成によれば、複数の商品を略同時に決済することが可能となる。
【００４５】
また、電子商取引システム１は、“(ii）決済を依頼する局面”に関し、決済者を指定できる機能を有する。より詳しくは、クラウドサーバ２００は、複数のユーザの各々が利用するスマートフォン１００から、複数の決済権限者の中から少なくとも一人の決済権限者を選択するための情報を受け付ける。これにより、クラウドサーバ２００は、当該選択されていない決済権者からの上記入力を受け付けない。上記の構成によれば、電子商取引システム１のユーザは、決済を依頼する人を選択可能となる。したがって、娘８０３が決済を依頼した決済権者以外の決済権者には、商品の決済依頼が通知されない。それゆえ、当該他の決済権者が共用カートの中身を確認しない限り、当該他の決済権者に購入する商品を知られることなく、選択された決済権者に商品を購入してもらうことが可能となる。
【００４６】
さらに、電子商取引システム１は、“（iii）決済時における局面”に関し、買い物の重複を警告してくれる機能を有する。より詳しくは、クラウドサーバ２００は、共用カートに同じ種別の商品が重複して入っていた場合、予め定められた通知（典型的には、上述したような警告通知）を、決済権者が操作するスマートフォン１００に通知する。上記の構成によれば、重複購入をさけることが可能となる。
【００４７】
（ｃ２．第２の具体例）
図４は、第２の具体例を説明するための模式図である。第２の具体例は、(ii）決済を依頼する局面と、（iii）決済時における局面とに特徴的な構成を有する。以下では、クラウドサーバ２００に、上記家族の住居に設置された図示しない家電（一例として、冷蔵庫６０１）が接続されているとする。また、スマートフォン１０１が、把持を検知するためのグリップセンサを備えているものとする。
【００４８】
図４を参照して、娘８０３が、スマートフォン１０３を用いて商品７２１と商品７２７とを共用カートに入れた後、商品７２１の決済を母親８０２に依頼するとともに、商品７２７の決済を父親８０１に依頼した場合を例に挙げて説明する。なお、典型的には、商品７２１の決済を母親８０２に依頼するためのオブジェクト７２３および父親８０１に依頼するためのオブジェクト７２５と、商品７２７の決済を母親８０２に依頼するためのオブジェクト７２９および父親８０１に依頼するためのオブジェクト７３１とが、スマートフォン１０３の画面に表示される。
【００４９】
娘８０３がオブジェクト７２３を選択することにより、商品７２１の決済を母親８０２に依頼した場合、クラウドサーバ２００に、商品７２１の決済依頼が通知される。その後、クラウドサーバ２００に接続された冷蔵庫６０１の扉が開けたことをトリガとして、クラウドサーバ２００は、娘８０３から決済依頼が送られてきていることを、母親８０２のスマートフォン１０２に通知する。これにより、スマートフォン１０２は、商品７２１と、決済依頼者を表す表記７３３と、決済を実行するためのオブジェクト７３７とを表示する。なお、一例として、冷蔵庫６０１の扉を開けたことを報知のトリガにしたが、家電の種別および操作は、これに限定されるものではない。
【００５０】
娘８０３がオブジェクト７３１を選択することにより、商品７２７の決済を父親８０１に依頼した場合、クラウドサーバ２００に、商品７２７の決済依頼が通知される。その後、スマートフォン１０１が把持されたことをスマートフォン１０１が検知すると、スマートフォン１０１は、商品７２７と、決済依頼者を表す表記７３９と、決済を実行するためのオブジェクト７４３とを表示する。
【００５１】
なお、母親８０２が冷蔵庫６０１の扉を開けたことをトリガとして、娘８０３から決済依頼が送られてきていることを報知するように冷蔵庫６０１を構成してもよい。報知は、音声でもよいし、表示でもよいし、音声および表示でもよい。
【００５２】
以上のように、電子商取引システム１は、第１の具体例と同様に、“(ii）決済を依頼する局面”に関し、決済者を指定できる機能を有する。したがって、上述したように、娘８０３が選択しなかった決済権者が共用カートの中身を確認しない限り、当該決済権者に購入する商品を知られることなく、娘８０３が選択した決済権者に商品を購入してもらうことが可能となる。
【００５３】
また、電子商取引システム１では、“（iii）決済時における局面”に関し、決済の依頼を通知するタイミングまたは方法が、決済権者毎に異なるように指定されている。詳しくは、冷蔵庫６０１を用いる点とスマートフォン１００自体を用いる点で方法が異なり、冷蔵庫６０１の扉を開けた時点とスマートフォン１００を把持した時点とにおいてタイミングが異なる。上記の構成によれば、タイムリーに決済依頼を対応するスマートフォン１００で表示させることが可能となる。
【００５４】
（ｃ３．第３の具体例）
図５は、第３の具体例を説明するための模式図である。第３の具体例は、(ii）決済を依頼する局面と、（iv）決済後の局面とに特徴的な構成を有する。第３の具体例では、商品種別毎（商品群毎）に、決済権者が予め指定されている構成を説明する。以下では、「衣類に関しては決済権者が母親８０２であって、家電に関しては決済権者が父親８０１である」といった、取り決めがなされている場合を例に挙げて説明する。
【００５５】
図５を参照して、上記の取り決めがなされている場合、娘８０３は、衣類に属する商品７２１の決済を母親８０２に依頼することになる。したがって、娘８０３のスマートフォン１０３は、商品７２１に関しては、決済を母親８０２に依頼するためのオブジェクト７２３を選択可能に表示する一方、決済を父親８０１に依頼するためのオブジェクト７２５を選択不可能な状態として表示する。
【００５６】
また、娘８０３は、家電に属する商品７２７の決済を父親８０１に依頼することになる。したがって、スマートフォン１０３は、商品７２７に関しては、決済を父親８０１に依頼するためのオブジェクト７３１を選択可能に表示する一方、決済を母親８０２に依頼するためのオブジェクト７２９を選択不可能な状態として表示する。
【００５７】
母親８０２のスマートフォン１０２は、商品７２１および商品７２７のうち、商品７２１のみの決済入力を受け付ける画面を表示する。父親８０１のスマートフォン１０１は、商品７２１および商品７２７のうち、商品７２７のみの決済入力を受け付ける画面を表示する。
【００５８】
クラウドサーバ２００は、商品７２１，７２７の決済が完了すると、決済完了通知をスマートフォン１０１〜１０３に送る。典型的には、クラウドサーバ２００は、商品７２１および商品７２７の決済完了通知を、娘８０３のスマートフォン１０３に送る。また、クラウドサーバ２００は、商品７２１の決済完了通知を、母親８０２のスマートフォン１０２に送る。さらに、クラウドサーバ２００は、商品７２７の決済完了通知を、父親８０１のスマートフォン１０１に送る。なお、商品７２１の決済完了通知と商品７２７の決済完了通知との両方をスマートフォン１０１〜１０３に送るように、クラウドサーバ２００を構成してもよい。
【００５９】
以上のように、電子商取引システム１では、“(ii）決済を依頼する局面”に関し、商品種別毎に決済権者が予め指定されている。上記の構成によれば、決済権者は、同じ種別の商品の決済を行なうため、商品種別毎に決済権者が予め指定されてない場合に比べて、同種の商品が必要以上に多く購入されているか否かの判断が容易となる。さらに、決済権者が複数いる場合に、どの決済権者に決済を依頼するかを悩む場面が少なくなる。
【００６０】
また、電子商取引システム１では、“（iv）決済後の局面”に関し、クラウドサーバ２００は、決済が行われたことに基づき、複数のユーザの各々が使用するスマートフォン１００に対して、当該決済が行われたことを通知する機能を有する。したがって、少なくとも、商品の決済依頼をした者、当該商品の決済をした者は、当該決済がなされたことを知ることができる。
【００６１】
なお、商品種別と決済権者との対応付けは、典型的には、ユーザが登録により行われる。また、登録後の更新もユーザ操作に基づき行われる。
【００６２】
（ｃ４．第４の具体例）
図６は、第４の具体例を説明するための模式図である。第４の具体例は、（i）商品を共用カートに入れる局面と、（iii）決済時における局面とに特徴的な構成を有する。
【００６３】
図６を参照して、状態（Ａ）〜（Ｃ）は、共用カートに入れられた商品を表示するためのユーザインターフェイスを説明するための図である。状態（Ａ）は、共用カートに入れた母親８０２用の商品を表している。状態（Ｂ）は、共用カートに入れた父親８０１用の商品を表している。状態（Ｃ）は、共用カートに入れた娘８０３用の商品を表している。
【００６４】
具体的には、第４の具体例では、ユーザ（たとえば、母親８０２）が商品を共用カートに入れる際に、誰のための商品かが分かるように、共用カートに区分けして商品を入れる。たとえば、母親８０２が父親８０１の商品７５５を共用カートに入れる場合には、スマートフォン１０２において商品７５５が父親８０１用であることを指定した上で商品７５５を共用カートに入れる。
【００６５】
また、スマートフォン１０２のユーザである母親８０２は、オブジェクト７４５，７４７，７４９のいずれかを選択することにより、選択されたオブジェクトに応じたユーザが共用カートに入れた商品７２１，７２７，７５５，７５９，７６３を確認することができる。さらに、母親８０２によって、商品を購入するためのオブジェクト７５１，７５７，７６１，７６５が選択された場合、当該選択された商品の決済が行われる。
【００６６】
状態（Ｄ）は、オブジェクト７６１が選択された後のスマートフォン１０２の表示画面を表している。スマートフォン１０２は、父親８０１用の商品７５９の購入を行なうためのオブジェクト７６１がユーザ（母親８０２）によって選択されため、商品７５９の種別（服飾）に属する全ての商品の予め定められた期間（たとえば、１か月間）における代金に関する助言を表示する。その上で、商品を決済するか、購入をキャンセルするかを、ユーザに選択させるためのオブジェクト７６９，７７１を表示する。なお、総額の算出および表示は、典型的には、スマートフォン１００における家計簿アプリケーションとクラウドサーバ２００との連携により実現される。
【００６７】
なお、電子商取引システム１は、各個人用だけではなく、家族共用の商品を表すための機能を有していてもよい。
【００６８】
以上のように、電子商取引システム１では、“（i）商品を共用カートに入れる局面”に関し、誰のための商品であるかが特定された状態で共用カートに当該商品が入れられる。
【００６９】
また、電子商取引システム１では、“（iii）決済時における局面”に関し、クラウドサーバ２００は、予め定められた期間における共用カートを用いた商品の決済額を、ユーザ毎に区分して、決済前に決済権者が操作するスマートフォン１００に通知する。上記の構成によれば、決済権者は、予め定められた期間において、各人用の商品にどの程度のお金が使われているが判断可能となる。
【００７０】
＜Ｄ．データ＞
図７は、クラウドサーバ２００に格納されている家族情報Ｄ７の概略構成を表した図である。図７を参照して、家族情報Ｄ７は、家族ＩＤと、個人ＩＤと、パスワードと、決済権限の有無と、決済可能な商品種別とが関連付けられている。１つの家族ＩＤに対して、１または複数の個人ＩＤが関連付けられている。上述した父親８０１と母親８０２と娘８０３とで構成される家族についての家族ＩＤは、一例として、“Ｆ１０７８９”である。この場合、たとえば、父親８０１の個人ＩＤが“Ｐ１０７８９１”であり、母親８０２の個人ＩＤが“Ｐ１０７８９２”であり、娘８０３の個人ＩＤが“Ｐ１０７８９３”である。
【００７１】
パスワードは、個人ＩＤに関連付けられている。共用カートは、家族ＩＤに関連付けられている。決済権限が“有”の場合には、家族ＩＤに関連付けられた共用カートに関し、決済権限を有していることを表している。つまり、家族情報Ｄ７の場合、個人ＩＤが“Ｐ１０７８９１”と“Ｐ１０７８９２”とのユーザ（つまり、上記父親８０１および母親８０２）が決済権者であることを表している。
【００７２】
図８は、クラウドサーバ２００に格納されているカート内情報Ｄ８の概略構成を表した図である。図８を参照して、カート内情報Ｄ８は、複数家族の各々の共用カート内の情報を表している。カート内情報Ｄ８は、商品ＩＤと、商品の金額と、家族ＩＤと、個人ＩＤと、共用カートに入れた日時と、決済日と、決済者ＩＤとが関連付けられている。
【００７３】
上記の家族を例に挙げれば、個人ＩＤが“Ｐ１０７８９３”のユーザ（つまり、娘８０３）が、商品ＩＤ“Ｇ１３２２４”の４，５００円の商品を２０１４年１２月２２日に家族の共用カートに入れたこと、および当該商品は決済されていないことが分かる。また、個人ＩＤが“１０７８９２”のユーザ（つまり、母親８０２）が、商品ＩＤ“Ｋ２６８９５”の１０，８００円の商品を２０１４年１２月２３日に上記共用カートに入れたこと、および当該商品は決済されていないことが分かる。
【００７４】
詳細については後述するが、クラウドサーバ２００は、家族情報Ｄ７およびカート内情報Ｄ８を利用して処理を進める。
【００７５】
＜Ｅ．機能的構成＞
図９は、電子商取引システム１の機能的構成を説明するための機能ブロック図である。図９を参照して、上述したように、電子商取引システム１は、クラウドサーバ２００と、スマートフォン１０１，１０２，１０３と、決済サーバ３０１，３０２，３０３とを備える。
【００７６】
（ｅ１．スマートフォン１０１〜１０３）
スマートフォン１０１〜１０３は、制御部１１１と、記憶部１１２と、表示部１１３と、入力部１１４と、通信部１１５とを備える。制御部１１１は、表示制御部１１１１を有する。
【００７７】
記憶部１１２は、オペレーティングシステム、アプリケーションプログラム、各種のデータを記憶している。記憶部１１２は、後述する、ＲＯＭ（Read Only Memory）１５２、フラッシュメモリ１５４等に対応する（図８）。
【００７８】
制御部１１１は、記憶部１１２に記憶されているオペレーティングシステムおよびアプリケーションプログラム等に基づいて、自端末（スマートフォン１０１〜１０３）の動作を制御する。表示制御部１１１１は、表示部１１３に各種の画像を表示させる。制御部１１１は、後述するＣＰＵ（Central Processing Unit）１５１（図８）が、オペレーティングシステムおよびアプリケーションプログラムを実行することにより実現される。表示部１１３は、後述するディスプレイ１５９１に対応する。
【００７９】
入力部１１４は、ユーザ操作に基づく入力を受け付ける。たとえば、入力部１１４は、共用カートへの商品の入力操作等のユーザによる各種の入力を受け付ける。入力部１１４は、受け付けた入力を制御部１１１に送る。入力部１１４は、後述するタッチパネル１５９２等に対応する。
【００８０】
通信部１１５は、クラウドサーバ２００と通信するためのインターフェイスである。通信部１１５は、制御部１１１からの指示に基づき、商品の決済依頼、決済指示等の各種の情報をクラウドサーバ２００に送信する。また、通信部１１５は、クラウドサーバ２００から、商品の決済を依頼した依頼者の情報、商品の情報、決済完了通知等の各種の情報を受信する。通信部１１５は、後述する通信ＩＦ（InterFace）１５７に対応する。
【００８１】
（ｅ２．クラウドサーバ２００）
クラウドサーバ２００は、制御部２１１と、記憶部２１２と、通信部２１３とを備える。制御部２１１は、電子商取引制御部２１１１を有する。
【００８２】
記憶部２１２は、オペレーティングシステム、アプリケーションプログラム、家族情報Ｄ７（図７）、カート内情報Ｄ８（図８）、および各種のデータを記憶している。なお、記憶部２１２は、後述する、ＲＯＭ２５２、ＨＤＤ（Hard Disk Drive）２５４等に対応する（図８）。
【００８３】
制御部２１１は、記憶部２１２に記憶されているオペレーティングシステムおよびアプリケーションプログラム等に基づいて、クラウドサーバ２００の動作を制御する。制御部２１１は、後述するＣＰＵ２５１（図９）が、オペレーティングシステムおよびアプリケーションプログラムを実行することにより実現される。
【００８４】
電子商取引制御部２１１１は、共用カートの提供を含め、電子商取引を実現するための様々な処理を実行する。電子商取引制御部２１１１は、記憶部２１２に格納された、家族情報Ｄ７およびカート内情報Ｄ８を利用して、商品の決済依頼の管理、決済処理等を行なう。典型的には、電子商取引制御部２１１１は、図２〜図６に基づいて説明した各種の処理を実行する。
【００８５】
電子商取引制御部２１１１の処理についての具体例を挙げると以下のとおりである。
（１）電子商取引制御部２１１１は、家族毎に共用カートを提供する。電子商取引制御部２１１１は、共用カートに入れられた複数の商品を決済するための入力を、通信部２１３を用いて、予め指定された決済権者が操作するスマートフォン１００から受け付ける。
【００８６】
（２）電子商取引制御部２１１１は、通信部２１３を用いて、決済を依頼されたユーザのスマートフォン１００に対して、共用カートに入れられた商品と当該商品を当該共用カートに入れたユーザの識別情報（依頼者ＩＤ）とを通知する。
【００８７】
（３）電子商取引制御部２１１１は、決済権者の指示に基づき、共用カートに商品を入れることを許可する期限を設定する。電子商取引制御部２１１１は、通信部２１３を用いて、複数のユーザの各々が共用カートを用いたショッピングに使用するスマートフォン１００に対し、当該期限を通知する。
【００８８】
（４）電子商取引制御部２１１１は、複数のユーザの各々が利用するスマートフォン１００から、複数の決済権者の中から少なくとも一人の決済権者を選択するための情報を受け付ける。電子商取引制御部２１１１は、当該選択されていない決済権者からの前記入力を受け付けない。
【００８９】
（５）電子商取引制御部２１１１は、あらかじめ登録したデータ（図示せず）に基づいて、決済の依頼を通知するタイミングまたは方法を、決済権者毎に異ならせる。
【００９０】
（６）電子商取引制御部２１１１は、通信部２１３を用いて、共用カートに同じ種別の商品が重複して入っていた場合、予め定められた通知(警告通知）を、決済権者が操作するスマートフォン１００に通知する。
【００９１】
（７）電子商取引制御部２１１１は、通信部２１３を用いて、予め定められた期間における共用カートを用いた商品の決済額を、ユーザ毎に区分して、決済前に決済権者が操作するスマートフォン１００に通知する。
【００９２】
（８）電子商取引制御部２１１１は、通信部２１３を用いて、決済が行われたことに基づき、複数のユーザの各々が使用するスマートフォン１００に対して、決済が行われたことを通知する。
【００９３】
（９）電子商取引制御部２１１１は、通信部２１３を用いて、商品の決済を依頼するユーザのスマートフォン１００に対して、商品が共用カートに入ったことに基づき当該商品の決済権者を表示させるデータを送信する。
【００９４】
（ｅ３．決済サーバ３０１〜３０３）
決済サーバ３０１〜３０３は、決済処理部３１１を備える。決済サーバ３０１〜３０３は、商品の決済要求をクラウドサーバ２００から受け付ける。決済処理部３１１は、決済要求に基づき決済を行なう。決済サーバ３０１〜３０３は、決済が行われことに基づき、決済完了通知をクラウドサーバ２００に送信する。なお、決済完了通知は、クラウドサーバ２００によって、スマートフォン１００に送られる。
【００９５】
＜Ｆ．ハードウェア構成＞
図１０は、スマートフォン１０１のハードウェア構成の典型例を表した図である。図１０を参照して、スマートフォン１０１は、主たる構成要素として、プログラムを実行するＣＰＵ１５１と、データを不揮発的に格納するＲＯＭ１５２と、ＣＰＵ１５１によるプログラムの実行により生成されたデータ、又は入力装置を介して入力されたデータを揮発的に格納するＲＡＭ１５３と、データを不揮発的に格納するフラッシュメモリ１５４と、ＬＥＤ１５５と、スイッチ１５６と、通信ＩＦ１５７と、電源回路１５８と、タッチスクリーン１５９と、操作キー１６０と、カメラ１６１とを含む。各構成要素は、相互にデータバスによって接続されている。タッチスクリーンは、ディスプレイ１５９１と、タッチパネル１５９２により構成される。
【００９６】
電源回路１５８は、コンセントを介して受信した商用電源の電圧を降圧し、スマートフォン１０１の各部に電源供給を行なう回路である。スイッチ１５６は、電源回路１５８に給電を行なうか否かを切替えるための主電源用のスイッチ、およびその他の各種の押しボタンスイッチである。
【００９７】
タッチスクリーン１５９は、各種のデータを表示および入力を受け付けるためのデバイスである。ディスプレイ１５９１は、画像を表示するための画面を含んで構成されている。
【００９８】
通信ＩＦ１５７は、クラウドサーバ２００に対するデータの送信処理およびクラウドサーバ２００から送信されたデータの受信処理を行なう。ＬＥＤ１５５は、スマートフォン１０１の動作状態を表す各種の表示ランプである。たとえば、ＬＥＤ１５５は、スマートフォン１０１の主電源のオンまたはオフ状態、およびフラッシュメモリ１５４への読み出しまたは書き込み状態等を表す。操作キー１６０は、スマートフォン１０１のユーザが主電源のオンまたはオフ等するためのキー（操作ボタン）である。カメラ１６１は、人物等の被写体を撮像するための撮像装置である。
【００９９】
スマートフォン１０１における処理は、各ハードウェアおよびＣＰＵ１５１により実行されるソフトウェアによって実現される。このようなソフトウェアは、フラッシュメモリ１５４に予め記憶されている場合がある。また、ソフトウェアは、その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、読取装置によりその記憶媒体から読み取られて、あるいは、通信ＩＦ１５７等を介してダウンロードされた後、フラッシュメモリ１５４に一旦格納される。そのソフトウェアは、ＣＰＵ１５１によってフラッシュメモリ１５４から読み出され、ＲＡＭ１５３に実行可能なプログラムの形式で格納される。ＣＰＵ１５１は、そのプログラムを実行する。
【０１００】
同図に示されるスマートフォン１０１を構成する各構成要素は、一般的なものである。したがって、本発明の本質的な部分は、ＲＡＭ１５３、フラッシュメモリ１５４、記憶媒体に格納されたソフトウェア、あるいはネットワークを介してダウンロード可能なソフトウェアであるともいえる。なお、スマートフォン１０１の各ハードウェアの動作は周知であるので、詳細な説明は繰り返さない。
【０１０１】
なお、記録媒体としては、ＤＶＤ−ＲＡＭに限られず、ＤＶＤ-ＲＯＭ、ＣＤ−ＲＯＭ、ＦＤ、ハードディスク、磁気テープ、カセットテープ、光ディスク、ＥＥＰＲＯＭ、フラッシュＲＯＭなどの半導体メモリ等の固定的にプログラムを担持する媒体でもよい。また、記録媒体は、当該プログラム等をコンピュータが読取可能な一時的でない媒体である。また、ここでいうプログラムとは、ＣＰＵにより直接実行可能なプログラムだけでなく、ソースプログラム形式のプログラム、圧縮処理されたプログラム、暗号化されたプログラム等を含む。
【０１０２】
なお、スマートフォン１０２，１０３のハードウェア構成は、スマートフォン１０１のハードウェア構成と同じであるため、ここでは繰り返し説明をしない。
【０１０３】
図１１は、クラウドサーバ２００のハードウェア構成の典型例を表した図である。図１１を参照して、クラウドサーバ２００は、主たる構成要素として、プログラムを実行するＣＰＵ２５１と、データを不揮発的に格納するＲＯＭ２５２と、ＣＰＵ２５１によるプログラムの実行により生成されたデータ、又は入力装置を介して入力されたデータを揮発的に格納するＲＡＭ２５３と、データを不揮発的に格納するＨＤＤ２５４と、ＬＥＤ２５５と、スイッチ２５６と、通信ＩＦ（Interface）２５７と、電源回路２５８と、ディスプレイ２５９と、操作キー２６０とを含む。各構成要素は、相互にデータバスによって接続されている。
【０１０４】
電源回路２５８は、コンセントを介して受信した商用電源の電圧を降圧し、クラウドサーバ２００の各部に電源供給を行なう回路である。スイッチ２５６は、電源回路２５８に給電を行なうか否かを切替えるための主電源用のスイッチ、およびその他の各種の押しボタンスイッチである。ディスプレイ２５９は、各種のデータを表示するためのデバイスである。
【０１０５】
通信ＩＦ２５７は、スマートフォン１０１，１０２，１０３に対するデータの送信処理およびスマートフォン１０１から送信されたデータの受信処理を行なう。
【０１０６】
ＬＥＤ２５５は、クラウドサーバ２００の動作状態を表す各種の表示ランプである。たとえば、ＬＥＤ２５５は、クラウドサーバ２００の主電源のオンまたはオフ状態、およびＨＤＤ２５４への読み出しまたは書き込み状態等を表す。操作キー２６０は、クラウドサーバ２００のユーザがクラウドサーバ２００へデータを入力するための用いるキー（キーボード）である。
【０１０７】
クラウドサーバ２００における処理は、各ハードウェアおよびＣＰＵ２５１により実行されるソフトウェアによって実現される。このようなソフトウェアは、ＨＤＤ２５４に予め記憶されている場合がある。また、ソフトウェアは、その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、読取装置によりその記憶媒体から読み取られて、あるいは、通信ＩＦ２５７等を介してダウンロードされた後、ＨＤＤ２５４に一旦格納される。そのソフトウェアは、ＣＰＵ２５１によってＨＤＤ２５４から読み出され、ＲＡＭ２５３に実行可能なプログラムの形式で格納される。ＣＰＵ２５１は、そのプログラムを実行する。
【０１０８】
同図に示されるクラウドサーバ２００を構成する各構成要素は、一般的なものである。したがって、本発明の本質的な部分は、ＲＡＭ２５３、ＨＤＤ２５４、記憶媒体に格納されたソフトウェア、あるいはネットワークを介してダウンロード可能なソフトウェアであるともいえる。なお、クラウドサーバ２００の各ハードウェアの動作は周知であるので、詳細な説明は繰り返さない。
【０１０９】
なお、記録媒体としては、ＤＶＤ−ＲＡＭに限られず、ＤＶＤ-ＲＯＭ、ＣＤ−ＲＯＭ、ＦＤ、ハードディスク、磁気テープ、カセットテープ、光ディスク、ＥＥＰＲＯＭ、フラッシュＲＯＭなどの半導体メモリ等の固定的にプログラムを担持する媒体でもよい。また、記録媒体は、当該プログラム等をコンピュータが読取可能な一時的でない媒体である。また、ここでいうプログラムとは、ＣＰＵにより直接実行可能なプログラムだけでなく、ソースプログラム形式のプログラム、圧縮処理されたプログラム、暗号化されたプログラム等を含む。
【０１１０】
なお、決済サーバ３０１，３０２，３０３のハードウェア構成は、クラウドサーバ２００のハードウェア構成と同じであるため、ここでは繰り返し説明をしない。
［実施の形態２］
実施の形態１においては、家族の構成員である父親８０１、母親８０２、および娘８０３の各々が自身のスマートフォン１００を用いて、商品を共用カートに入れる構成を説明した。本実施の形態では、複数のスマートフォン１００の代わりに、１つのパーソナルコンピュータを用いる構成を説明する。
【０１１１】
図１２は、本実施の形態に係る電子商取引システム１Ａの概略構成を表した図である。図１２を参照して、電子商取引システム１Ａは、パーソナルコンピュータ５００と、クラウドサーバ２００と、複数の決済サーバ３０１，３０２，３０３とを備える。
【０１１２】
親、母親８０２、および娘８０３は、自身の個人ＩＤとパスワードとを用いて、共用カートを利用できるＷｅｂサイトにログインする。これにより、本実施の形態でも、実施の形態１と同様の効果を得ることができる。なお、上述した各種の表示は、ユーザがログインしたときに表示される。なお、電子商取引システム１を構成するパーソナルコンピュータは、１台に限定されるものではない。
［実施の形態３］
電子商取引システム１が、クラウドサーバ２００と、複数の決済サーバ３０１，３０２，３０３と、複数の各自のスマートフォン１００と、１または複数のパーソナルコンピュータ５００とを備える構成であってもよい。
［実施の形態４］
実施の形態１〜３では、スマートフォン１００、パーソナルコンピュータ５００を用いて、決済依頼、決済指示を行なう構成を例に挙げて説明したが、これに限定されるものではない。たとえば、家電（詳しくは、家電の通信機能、入力機能、および出力機能）を用いて、決済依頼、決済指示が可能なように、電子商取引システム１，１Ａを構成してもよい。
【０１１３】
＜まとめ＞
（１）電子商取引システム１，１Ａは、同じグループの複数のユーザ（具体的には、上記家族の父親８０１、母親８０２、娘８０３）が共用できる仮想的なショッピングカートを提供し、当該ショッピングカートに入れられた複数の商品を決済するための入力を、予め指定された決済権者（上記の例では父親８０１）が操作するスマートフォン１００から受け付ける。このような構成によれば、家族で共用のショッピングカート用いるため、家族の全員の各々が、当該家族における他人が購入した商品を確認することが可能となる。
【０１１４】
（２）クラウドサーバ２００においては、上記家族の父親８０１、母親８０２、および娘８０３のうち共用カートに商品を入れた者の識別情報（つまり、上記依頼者ＩＤ）と、商品の識別情報とが対応付けて記憶されている。また、クラウドサーバ２００は、決済権者のスマートフォン１００に対して、共用カートに入れられた商品と当該商品を当該共用カートに入れたユーザの識別情報とを通知する。上記の構成によれば、決済権者は、誰が何を購入しようとしているかを把握することができる。
【０１１５】
（３）電子商取引システム１，１Ａでは、共用カートに商品を入れることを許可する期限が設定されている。クラウドサーバ２００は、同じグループ内の複数のユーザ（つまり、父親８０１、母親８０２、娘８０３）の各々が使用するスマートフォン１００に対して、上記期限を通知する。上記の構成によれば、複数の商品を略同時に決済することが可能となる。
【０１１６】
（４）クラウドサーバ２００は、複数のユーザの各々が利用するスマートフォン１００から、複数の決済権限者の中から少なくとも一人の決済権限者を選択するための情報を受け付ける。これにより、クラウドサーバ２００は、当該選択されていない決済権者からの上記入力を受け付けない。上記の構成によれば、電子商取引システム１のユーザは、決済を依頼する人を選択可能となる。したがって、娘８０３が決済を依頼した決済権者以外の決済権者には、商品の決済依頼が通知されない。それゆえ、当該他の決済権者が共用カートの中身を確認しない限り、当該他の決済権者に購入する商品を知られることなく、選択された決済権者に商品を購入してもらうことが可能となる。
【０１１７】
（５）電子商取引システム１，１Ａでは、商品種別毎に決済権者が予め指定されている。上記の構成によれば、決済権者は、同じ種別の商品の決済を行なうため、商品種別毎に決済権者が予め指定されてない場合に比べて、同種の商品が必要以上に多く購入されているか否かの判断が容易となる。さらに、決済権者が複数いる場合に、どの決済権者に決済を依頼するかを悩む場面が少なくなる。
【０１１８】
（６）電子商取引システム１，１Ａでは、決済の依頼を通知するタイミングまたは方法が、決済権者毎に異なるように指定されている。上記の構成によれば、タイムリーに決済依頼を対応するスマートフォン１００で表示させることが可能となる。
【０１１９】
（７）クラウドサーバ２００は、共用カートに同じ種別の商品が重複して入っていた場合、予め定められた通知（典型的には、上述したような警告通知）を、決済権者が操作するスマートフォン１００に通知する。上記の構成によれば、重複購入をさけることが可能となる。
【０１２０】
（８）クラウドサーバ２００は、決済が行われたことに基づき、複数のユーザの各々が使用するスマートフォン１００に対して、当該決済が行われたことを通知する機能を有する。したがって、少なくとも、商品の決済依頼をした者、当該商品の決済をした者は、当該決済がなされたことを知ることができる。
【０１２１】
（９）クラウドサーバ２００は、予め定められた期間における共用カートを用いた商品の決済額を、ユーザ毎に区分して、決済前に決済権者が操作するスマートフォン１００に通知する。上記の構成によれば、決済権者は、予め定められた期間において、各人用の商品にどの程度のお金が使われているが判断可能となる。
【０１２２】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【０１２３】
１，１Ａ  電子商取引システム、１０１，１０２，１０３  スマートフォン、１１１，２１１  制御部、１１２，２１２  記憶部、１１３  表示部、１１４  入力部、１１５，２１３  通信部、１５１  ＣＰＵ、１５２，２５２  ＲＯＭ、１５３，２５３  ＲＡＭ、１５４  フラッシュメモリ、１５９  タッチスクリーン、２００  クラウドサーバ、１５９１  ディスプレイ、３０１，３０２，３０３  決済サーバ、３１１  決済処理部、４０１，４０２  ネットワーク、５００  パーソナルコンピュータ、７０１  送信ボタン、７０３，７０９，７２１，７２７，７５５，７５９，７６３  商品、７１３  警告表示、９０１，９０２，９０３  店舗、１１１１  表示制御部、１５９２  タッチパネル、２１１１  電子商取引制御部、Ｄ７  家族情報、Ｄ８  カート内情報。
【図１】
2016133993.tif 000003
【図２】
2016133993.tif 000004
【図３】
2016133993.tif 000005
【図４】
2016133993.tif 000006
【図５】
2016133993.tif 000007
【図６】
2016133993.tif 000008
【図７】
2016133993.tif 000009
【図８】
2016133993.tif 000010
【図９】
2016133993.tif 000011
【図１０】
2016133993.tif 000012
【図１１】
2016133993.tif 000013
【図１２】
2016133993.tif 000014